(57)【要約】    【課題】  本発明の課題は、縦長の表示部で横向きの表示を視聴する場合に視聴し易く、電子機器の抜け落ちが防止できる電子機器の置き台を提供することにある。    【解決手段】  本発明に関わる電子機器の置き台は、表示部５６を有する電子機器５０を収納する電子機器５０の置き台１であって、電子機器５０が収納される収納凹部２を中央部に具え、収納凹部２に収納された電子機器５０の収納凹部２から露出する表示部５６を、その長手方向を水平にした状態で横長のフルスクリーンの表示がなされる。    【選択図】  図３
2006279463.tif 000002
【特許請求の範囲】
【請求項１】
表示部を有する電子機器を収納する電子機器の置き台であって、
前記電子機器が収納される収納凹部を中央部に具え、
該収納凹部に収納された前記電子機器の前記収納凹部から露出する表示部を、その長手方向を水平にした状態で横長のフルスクリーンの表示がなされる
ことを特徴とする電子機器の置き台。
【請求項２】
前記置き台を縦置きにした場合には収納された電子機器にロックせず、前記置き台を一側面を下にして横置きにした場合には前記収納された電子機器にロックし保持するロック手段を前記収納凹部の側壁面に備える
ことを特徴とする請求項１に記載の電子機器の置き台。
【請求項３】
前記ロック手段は、ねじり力を付与する弾性体と、該弾性体のねじり力により支軸部廻りに付勢され、前記置き台の収納空間に突出する係合部と前記置き台の下面から外方に突出する係合解除部とを有するロック部材とを具え、
前記置き台を横置きした場合には、前記ロック部材の係合部が、前記弾性体のねじり力に付勢され前記収納空間に突出し電子機器の側部に係合し、
前記置き台を縦置きした場合には、前記係合解除部が前記置き台の載置面から力を受けて前記置き台の下面内に没するとともに、前記係合部が前記収納凹部の側壁面内に没し前記電子機器への係合が解除される
ことを特徴とする請求項２に記載の電子機器の置き台。
【請求項４】
前記電子機器を収納した置き台を一側面を下にして横置きにした場合に、前記収納された電子機器の表示部が上方を向くように、前記一側面を傾斜を有して形成した
ことを特徴とする請求項１から請求項３のうちの何れか一項に記載の電子機器の置き台。
【請求項５】
前記電子機器を収納した置き台を一側面を下にして横置きにした場合に、
前記一側面上縁部を支点とする前記置き台の重量によるモーメントと前記置き台内の電子機器の重量によるモーメントとの合算モーメントが、前記支点廻りに前記置き台のモーメントと同方向に加わるように構成した
ことを特徴とする請求項１から請求項４のうちの何れか一項に記載の電子機器の置き台。
【発明の詳細な説明】
【技術分野】
【０００１】
本発明は、縦長の表示部を備える携帯電話機等の電子機器において横長の表示を視聴するための電子機器の置き台に関する。
【背景技術】
【０００２】
小型電子機器である携帯電話機１０１は、その正面図である図１０(ａ)に示すように、複数の操作キー１０２aを有する操作部１０２と、文字、画像等の各種情報を表示するための液晶表示部１０３を備えて構成されている。
【０００３】
この液晶表示部１０３は、通常、アスペクト比が、例えば１６：９などの画面であり、縦長の画面で表示されている。
【０００４】
ところで、携帯電話機１０１でテレビ映像等を視聴する場合においては、図１０(ａ)に示すように、縦置きの状態で表示した際、テレビ映像が横長であるため、縦長の液晶表示部１０３の寸法が小さいことからその映像が小さくなる。
【０００５】
そのため、映像を見易くすることを目的に、図１０(ｂ)に示すように、表示部１０３を横向きにしてのフルスクリーン表示が行われている。
【０００６】
このように、表示部１０３の横向きの表示を視聴する場合、従来、例えば、特許文献１に記載されるように、携帯電話機１０１の一側面１０１rを下側にして台Ｄ上に置いて視聴したり(図１０(ｂ)参照)、或いは、携帯電話機１０１を台Ｄ上に置くことなく手で横向きに持って視聴している。
【特許文献１】特開平２００３−７８６０１号公報
【発明の開示】
【発明が解決しようとする課題】
【０００７】
ところで、上述したように、表示部１０３の横向きの表示を視聴する場合、台Ｄ上に置くことなく手で持ち横向きにして視聴する方法は、長時間の視聴には手が疲れ、適した方法とは言えない。
【０００８】
また、図１０(ｂ)に示すように、携帯電話機１０１の一側面１０１rを下にして台Ｄ上に置いて視聴する方法は、携帯電話機１０１の表示部１０３が面する方向と利用者の目線の方向とがズレるため、利用者が表示部１０３を視認しにくいという問題がある。
【０００９】
本発明は上記実状に鑑み、縦長の表示部で横向きの表示を視聴する場合に視聴し易く、かつ電子機器の抜け落ちが防止できる電子機器の置き台の提供を目的とする。
【課題を解決するための手段】
【００１０】
上記目的を達成するべく、本発明の請求項１に関わる電子機器の置き台は、表示部を有する電子機器を収納する電子機器の置き台であって、前記電子機器が収納される収納凹部を中央部に具え、該収納凹部に収納された前記電子機器の前記収納凹部から露出する表示部を、その長手方向を水平にした状態で横長のフルスクリーンの表示がなされることを特徴としている。
【００１１】
本発明の請求項２に関わる電子機器の置き台は、請求項１に記載の電子機器の置き台において、前記置き台を縦置きにした場合には収納された電子機器にロックせず、前記置き台を一側面を下にして横置きにした場合には前記収納された電子機器にロックし保持するロック手段を前記収納凹部の側壁面に備えることを特徴としている。
【００１２】
本発明の請求項３に関わる電子機器の置き台は、請求項２に記載の電子機器の置き台において、前記ロック手段は、ねじり力を付与する弾性体と、該弾性体のねじり力により支軸部廻りに付勢され、前記置き台の収納空間に突出する係合部と前記置き台の下面から外方に突出する係合解除部とを有するロック部材とを具え、前記置き台を横置きした場合には、前記ロック部材の係合部が、前記弾性体のねじり力に付勢され前記収納空間に突出し電子機器の側部に係合し、前記置き台を縦置きした場合には、前記係合解除部が前記置き台の載置面から力を受けて前記置き台の下面内に没するとともに、前記係合部が前記収納凹部の側壁面内に没し前記電子機器への係合が解除されることを特徴としている。
【００１３】
本発明の請求項４に関わる電子機器の置き台は、請求項１から請求項３のうちの何れか一項に記載の電子機器の置き台において、前記電子機器を収納した置き台を一側面を下にして横置きにした場合に、前記収納された電子機器の表示部が上方を向くように、前記一側面を傾斜を有して形成したことを特徴としている。
【００１４】
本発明の請求項５に関わる電子機器の置き台は、請求項１から請求項４のうちの何れか一項に記載の電子機器の置き台において、前記電子機器を収納した置き台を一側面を下にして横置きにした場合に、前記一側面上縁部を支点とする前記置き台の重量によるモーメントと前記置き台内の電子機器の重量によるモーメントとの合算モーメントが、前記支点廻りに前記置き台のモーメントと同方向に加わるように構成したことを特徴としている。
【発明の効果】
【００１５】
以上、詳述した如く、本発明の請求項１に関わる電子機器の置き台によれば、電子機器が収納される収納凹部を中央部に具え、収納凹部に収納された電子機器の収納凹部から露出する表示部を、その長手方向を水平にした状態で横長のフルスクリーンの表示がなされるので、電子機器の表示部に横長のフルスクリーンの表示を大きく表示して、表示の向きを正して視聴を行える。
【００１６】
本発明の請求項２に関わる電子機器の置き台によれば、置き台を縦置きにした場合には収納した電子機器にロックしないので、電子機器を置き台に円滑に収納でき、また、置き台からの取出しが円滑に行える。
【００１７】
一方、置き台を横置きにした場合には、収納した電子機器がロックされるので、置き台に収納された電子機器が置き台内に確実に保持され、置き台からの電子機器の抜け落ちを防止できる。
【００１８】
本発明の請求項３に関わる電子機器の置き台によれば、ロック手段は、弾性体と、該弾性体のねじり力により付勢されるロック部材とから構成されるので、簡単な構成でロック手段が構成できる。
【００１９】
本発明の請求項４に関わる電子機器の置き台によれば、電子機器を収納した置き台を一側面を下にして横置きにした場合に収納された電子機器の表示部が上方を向くように、一側面を傾斜を有して形成したので、利用者の目線が電子機器の表示部に向け易く、無理のない視聴が可能となる。
【００２０】
本発明の請求項５に関わる電子機器の置き台によれば、電子機器を収納した置き台を一側面を下にして横置きにした場合に、一側面上縁部を支点とする置き台の重量によるモーメントと置き台内の電子機器の重量によるモーメントとの合算モーメントが、支点廻りに置き台のモーメントと同方向に加わるように構成したので、電子機器を収納した置き台が傾くことなく横置きでき、電子機器の表示部の視聴が阻害されることなく行える。
【発明を実施するための最良の形態】
【００２１】
以下、本発明の実施形態について添付図面を参照して説明する。
【実施例１】
【００２２】
図１は、本発明を適用した実施例１の充電用置き台(置き台)１に、１軸ヒンジ機構の折り畳み式携帯電話機(電子機器)５０を収納して充電している状態を示す斜視図である。
【００２３】
携帯電話機５０は、複数の操作キー５２aを有する操作部５２が配設される下筐体５１と、文字、画像等の各種情報を表示するための縦長の画面をもつ液晶表示部(表示部)５６が配設される上筐体５５とを備え、上筐体５５はヒンジ部５４を介して下筐体５１に対して開閉自在に連結されている。
【００２４】
ここで、縦長の液晶表示部５６には、テレビ視聴に際して、横長のフルスクリーンの表示が横向きに表示されるように構成されている。
【００２５】
この携帯電話機５０の下筐体５１下面には充電用端子(図示せず)が外部に露出して設けられており、携帯電話機５０を充電するに際しては、図１に示すように、下筐体５１をその下面側から充電用置き台１の収納凹部２に差し込み収納して、下筐体５１下面の充電端子を、充電用置き台１の収納凹部２内の充電端子５、５(図２参照)に接触させ導通させて充電する。
【００２６】
充電用置き台１は、例えば、ＡＢＳ樹脂等を射出成形した部材により、図２に示すような所定の形状に製造されている。
【００２７】
充電用置き台１の中央部には、携帯電話機５０の下筐体５１を収納するための収納凹部２が、下筐体５１の外形状に倣い、収納した下筐体５１との間に適当なクリアランスを有した凹部形状に形成されている。
【００２８】
この収納凹部２には、携帯電話機５０を収納凹部２へ収納する際に携帯電話機５０の下筐体５１を呼び込み案内するための案内リブ３が、収納凹部２内の収納空間に突出した態様で、その両側壁面２s下部から底壁面２tにかけて連続して形成されている。
【００２９】
この収納凹部２の案内リブ３に対応して、携帯電話機５０の下筐体５１の側壁面下部から下壁面にかけて連続した凹部形状の案内凹部(図示せず)が、収納凹部２の案内リブ３に嵌合するように形成されている。
【００３０】
また、充電用置き台１の収納凹部２の両側壁面２s下部には、充電用置き台１に収納された携帯電話機５０の脱出を防止するために、ばね等の弾性体(図示せず)により付勢され収納凹部２内の収納空間Ｓに突出する係合部材４、４が、一対、図２の矢印に示すように、収納空間Ｓに出没自在に配設されている。
【００３１】
係合部材４、４は、収納空間Ｓ側から側壁面２s内への外力を受けることにより、弾性体の弾性力に抗して収納凹部２の側壁面２s内に引っ込み、この外力を受けない場合には、図２に示すように、収納凹部２の収納空間Ｓに突出している。
【００３２】
この収納凹部２の係合部材４、４に対応して、携帯電話機５０の下筐体５１の側壁面下部には、凹部状を成す一対の係合凹部(図示せず)が形成されている。
【００３３】
そして、図１に示すように、携帯電話機５０の下筐体５１を充電用置き台１に収納した際には、下筐体５１の係合凹部に充電用置き台１の係合部材４、４が係合して、携帯電話機５０を充電用置き台１内に保持し、充電用置き台１からの抜け出しを防止している。  なお、係合部材４、４は、樹脂成形品、金属薄板の板バネ状等の部材を適宜、選択して構成される。
【００３４】
図２に示すように、この収納凹部２の底壁面２ｔには、携帯電話機５０を充電するための充電端子５、５が、携帯電話機５０を収納空間Ｓに収納した際にその下筐体５１下面の充電用端子に接触して導通するように、収納空間Ｓに突出して設けられている。
【００３５】
ところで、携帯電話機５０の液晶表示部５６でテレビ視聴する際には、縦長の液晶表示部５６にフルスクリーン表示が横向きに表示される。
【００３６】
そこで、携帯電話機５０でテレビ視聴するに際しては、図１に示す充電用置き台１に収納した携帯電話機５０を、図３(ａ)に示すように、充電用置き台１の右側面(一側面)１ｒを下にして台Ｄ上に横に倒して、収納凹部２から露出する液晶表示部５６のフルスクリーン表示の向きを正して視聴する。
【００３７】
この場合、横置きにした液晶表示部５６の表示面が、上方を向き利用者の目線に正対するように、横置きにした充電用置き台１の下にされる右側面１ｒを、図２に示すように、充電用置き台１の前面１mから後面１uにかけて内側に向くように傾斜角度θの傾斜を有して形成している。
【００３８】
このように、充電用置き台１の右側面１ｒを傾斜させることにより、図３(ａ)のＡ方向矢視図である図３(ｂ)に示すように、充電用置き台１に収納した携帯電話機５０の液晶表示部５６が、右側面１ｒの傾斜角度θと同じ角度θ上方を向き、充電用置き台１に収納した携帯電話機５０を台Ｄ上に横置きにしてテレビ視聴する際に、液晶表示部５６が利用者の目線の方向を向き、見易い状態で視聴できる。
【００３９】
なお、携帯電話機５０は、充電用置き台１に収納された状態なので、テレビ視聴と同時に充電も行うことができる。
【００４０】
次に、上述した構成の充電用置き台１のテレビ視聴に際しての使用方法について説明する。
【００４１】
携帯電話機５０でテレビ視聴するに際しては、携帯電話機５０を、下筐体５１の下面側から、図２に示すように、充電用置き台１の収納凹部２内へ矢印に示すように差し入れる。
【００４２】
すると、携帯電話機５０の下筐体５１に形成された凹部形状の案内凹部に充電用置き台１の収納凹部２内の案内リブ３が嵌合し、携帯電話機５０が、円滑に収納凹部２内に呼び込まれ、収納することができる。
【００４３】
携帯電話機５０が収納凹部２の所定位置に収納されると、収納凹部２内の係合部材４、４が、携帯電話機５０の下筐体５１の係合凹部に係合し、図１に示すように、携帯電話機５０が充電用置き台１に確実に収納され保持される。
【００４４】
続いて、充電用置き台１に収納した携帯電話機５０を、図３(ａ)に示すように、充電用置き台１の右側面１ｒを下にして台Ｄ上に横置きにする。
【００４５】
すると、図３(ａ)のＡ方向矢視図の図３(ｂ)に示すように、充電用置き台１に収納した携帯電話機５０の液晶表示部５６が、台Ｄの垂線に対して、右側面１ｒの傾斜角度θと同じ角度θ上方を向いた状態となり、利用者の目線の方向を向き、見易い状態で液晶表示部５６によるテレビ視聴を行うことができる。
【００４６】
この場合、充電用置き台１の係合部材４、４が、携帯電話機５０の下筐体５１の係合凹部に係合しているため、携帯電話機５０が充電用置き台１内に確実に保持され、抜け出ることが防止される。
【００４７】
また、この場合、携帯電話機５０は、充電用置き台１内に収納され、携帯電話機５０の下筐体５１の充電用端子が収納凹部２の充電端子５、５(図２参照)に接触するため、同時に携帯電話機５０の充電を行うことができる。
【００４８】
図４は、携帯電話機５０を収納した充電用置き台１を、横置きにした場合における充電用置き台１の右側面１ｒの上縁部(一側面上縁部)１ｒ0を支点とする充電用置き台１の重量よるモーメントと携帯電話機５０の重量よるモーメントの関係を表した概念図である。
【００４９】
充電用置き台１の重心Ｇ1には、充電用置き台１の重量１wの重力が加わり、携帯電話機５０の重心Ｇ50には携帯電話機５０の重量５０wの重力が加わる。
【００５０】
図４(ａ)に示すように、充電用置き台１の重心Ｇ1と携帯電話機５０の重心Ｇ50とが充電用置き台１の右側面１ｒの上縁部１ｒ0に対して充電用置き台１側にある場合、右側面１ｒの上縁部１ｒ0を支点として、充電用置き台１の重量１wによって、時計廻りのｌ１×１w(ｌ１：右側面１ｒの上縁部１ｒ0から充電用置き台１の重量１wまでの距離)の大きさのモーメントが働く。
【００５１】
また、携帯電話機５０の重量５０wによって、右側面１ｒの上縁部１ｒ0を支点として、時計廻りのｌ50×５０w(ｌ50：右側面１ｒの上縁部１ｒ0から携帯電話機５０の重量５０wまでの距離)の大きさのモーメントが働いている。
【００５２】
一方、図４(ｂ)に示すように、充電用置き台１の重心Ｇ1が充電用置き台１の右側面１ｒの上縁部１ｒ0に対して充電用置き台１側にあり、これに対して、携帯電話機５０の重心Ｇ50が充電用置き台１の右側面１ｒの上縁部１ｒ0に対して充電用置き台１の反対側にある場合、充電用置き台１の重量１wによって、右側面１ｒの上縁部１ｒ0を支点として、時計廻りにｌ１×１wの大きさのモーメントが働き、これに対して、携帯電話機５０の重量５０wによって、右側面１ｒの上縁部１ｒ0を中心として、反時計廻りのｌ50×５０wの大きさのモーメントが働くことになる。
【００５３】
ここで、これらのモーメント間に、ｌ１×１w＞ｌ50×５０wの関係がある場合には、時計廻りのモーメント(充電用置き台１の重量１wによるモーメントと同方向のモーメント)の大きさがより大きいため、図４(ｂ)に示す状態を維持でき、横置きの充電用置き台１に収納された携帯電話機５０の液晶表示部５６が傾くことなく、テレビ視聴を行える。
【００５４】
ところが、これらのモーメントが、ｌ１×１w＜ｌ50×５０wの関係になると、反時計廻りのモーメント(充電用置き台１の重量１wによるモーメントと反対方向のモーメント)の大きさがより大きいため、図４(ｃ)に示すように、携帯電話機５０を収納した充電用置き台１が傾き、正常なテレビ視聴が阻害されることになる。
【００５５】
上述のことより、実施例１の充電用置き台１は、図４(ａ)、(ｂ)に示すように、充電用置き台１の右側面１ｒの上縁部１ｒ0を支点として、充電用置き台１の重量１wによるモーメントと携帯電話機５０の重量５０wによるモーメントとを合わせた合算モーメントが時計廻り、すなわち充電用置き台１の重量１wによるモーメントと同じ向きに加わるように設定している。
【００５６】
上記構成によれば、携帯電話機５０を収納した充電用置き台１を横置きした場合に携帯電話機５０の液晶表示部５６が上方を向くように、充電用置き台１の右側面１ｒを傾斜をつけて形成したので、縦長の液晶表示部５６に横長のテレビ表示をフルスクリーンで横向きに表示して、大きな表示でテレビ視聴を無理なく快適に行える。
【００５７】
ここで、充電用置き台１の側面１ｒに傾斜を設けるが、充電用置き台１の外形状は比較的、設計上の制約が少ないため、その傾斜角度θは比較的大きな範囲をもって選択することが可能である。
【００５８】
また、充電用置き台１には、係合部材４、４が具わり、収納した携帯電話機５０の係合凹部に係合するため、携帯電話機５０を収納した充電用置き台１を横置きにした場合にも、携帯電話機５０が充電用置き台１内に確実に保持され、充電用置き台１から抜け出ることが防止できる。
【００５９】
図５〜図７は、実施例１の変形例を示したものであり、２軸ヒンジ機構６４の折り畳み式携帯電話機(電子機器)６０、すなわち、下筐体６１と上筐体６５とを背中合わせに閉じるように構成された携帯電話機６０に使用される充電用置き台１１に、本発明を適用した例を示している。
【００６０】
この充電用置き台１１の構成は、上述した実施例１の充電用置き台１と基本的に変わらないので、同一の構成要素には実施例１に用いた符号に１０加えた符号を付して示す。
【００６１】
充電用置き台１１は、その斜視図の図５に示すように、中央部に携帯電話機６０を収納するための収納凹部１２が形成されており、この収納凹部１２内には、携帯電話機６０を収納するに際して円滑に呼び込み案内するための案内リブ１３、および、収納された携帯電話機６０を保持する係合部材１４、１４、および、収納された携帯電話機６０を充電するための充電端子１５、１５がそれぞれ備えられている。
【００６２】
また、充電用置き台１１の右側面(一側面)１１ｒは、テレビ視聴に際して充電用置き台１１を右側面１１ｒを下にして横置きにした場合に、携帯電話機６０の液晶表示部(表示部)６６が上方を向き利用者の目線に合うように、前面１１mから後面１１uにかけて内側に向けた傾斜、すなわち傾斜角度θ′を有して形成されている。
【００６３】
２軸ヒンジ機構６４の折り畳み式携帯電話機６０を用いてテレビ視聴するに際しては、まず、上筐体６５と下筐体６１とを背中合わせに閉じて、上筐体６５の液晶表示部６６を表側に位置させる (図６参照)。
【００６４】
そして、図５の矢印に示すように、背中合わせに閉じた携帯電話機６０を下筐体６１の下面側を下にして充電用置き台１１の収納凹部１２に差し込むと、案内リブ１３に案内されて円滑に呼び込み収納され、図６に示すように、所定位置に達すると、係合部材１４、１４により下筐体６１が係合され、携帯電話機６０が保持される。
【００６５】
この充電用置き台１１に収納された携帯電話機６０を、図７ (ａ)に示すように、置き台１１の右側面１１ｒを下にして横置きすることにより、収納凹部１２から露出する縦長の液晶表示部６６に表示したテレビ等のフルスクリーンの横向きの表示を向きを正して視聴することができる。
【００６６】
この場合、充電用置き台１１の右側面１１ｒは傾斜角度θ′を有するので、図７(ａ)のＢ方向矢視図の図７(ｂ)に示すように、携帯電話機６０の液晶表示部６６は傾斜角度θ′上方を向き、利用者の目線の方向を向き、利用者は、見易い状態でテレビ視聴等を行える。
【００６７】
このように、上記変形例においても、実施例１と同様な作用効果を奏することが可能である。
【実施例２】
【００６８】
本発明の実施例２の充電用置き台２１は、実施例１における携帯電話機を置き台に保持するための係合部材４、１４によるロック機構の変更例を例示したものである。  それ以外の構成は、実施例１と同様であるから、図示および詳細な説明は省略する。
【００６９】
図８は、実施例２の充電用置き台２１に携帯電話機を収納、保持するためのロック機構(ロック手段)ｒの構造を示した概念的要部断面図である。
【００７０】
なお、図８(ａ)は、充電用置き台２１を右側面２１rを下にして台(載置面)Ｄ上に横置きにした状態を示した概念的要部断面図であり、図８(ｂ)は、充電用置き台２１を台Ｄ上に縦置きにした状態を示した概念的要部断面図である。
【００７１】
充電用置き台２１の収納凹部２２の側壁面２２ｓに配設されるロック機構ｒは、収納凹部２２内に収納された携帯電話機(電子機器)７０の側部に係合して保持するツメ部(係合部)ｒl1を有するロックレバー(ロック手段、ロック部材)ｒlと、ツメ部ｒl1の係合力を付与するねじりコイルバネ(ロック手段、弾性体)ｒsとを備えている。
【００７２】
このロックレバーｒlは、ポリアセタール、ポリカーボネイト等の樹脂材料で一体に成形される樹脂成形品であり、図８(ａ)に示すように、充電用置き台２１内にねじりコイルバネｒsのバネ力により支軸部ｒl5廻りに矢印に示す方向に付勢され配設されている。
【００７３】
ロックレバーｒlは、ツメ部ｒl1に加え、充電用置き台２１の下面板２１tに穿孔された孔２１t1を貫通して外部に突出して配設されるロック解除部(係合解除部)ｒl2が形成され、このロック解除部ｒl2と支軸部ｒl5まで連続して形成される比較的長い寸法をもつ長ウデ部ｒl3と、ツメ部ｒl1と支軸部ｒl5まで連続して形成され比較的短い寸法をもち、ねじりコイルバネｒsで付勢される短ウデ部ｒl4とを具えている。
【００７４】
図８(ａ)に示すように、充電用置き台２１を右側面(一側面)２１ｒを下にして横置きした場合には、携帯電話機７０を充電用置き台２１内に保持するためのロック機構ｒには、外力が加わわらず、ロックレバーｒlのツメ部ｒl1が収納凹部２２内の収納空間Ｓに突出している。  また、ロックレバーｒlのロック解除部ｒl2が充電用置き台２１の下面板２１tから外方に突出している。
【００７５】
そして、図８(ｂ)に示すように、充電用置き台２１を下面板２１tを下にして縦置きした場合には、下面板２１tから外方に突出するロック解除部ｒl2に、台(載置面)Ｄから充電用置き台２１の重量に相当する外力が反力として加わる。
【００７６】
すると、ロックレバーｒlは、コイルバネｒsのバネ力に抗して矢印方向に回動し、ロック解除部ｒl2が、充電用置き台２１の下面内に押し込まれた状態になるとともに、ツメ部ｒl1が収納凹部２２内の収納空間Ｓに突き出た状態から側壁面２２ｓ内に押し込まれた状態になるように構成されている。
【００７７】
上記のロックレバーｒlの動作を実現するため、ねじりコイルバネｒsのバネ力は、ロック解除部ｒl2に加わる外力によるモーメントより弱いバネ力によるモーメントをロックレバーｒlに付与するように設定されている。
【００７８】
このロックレバーｒlの動作は、ロックレバーｒlの長ウデ部ｒl3の長さ、ねじりコイルバネｒsのバネ力、および充電用置き台２１の重量等を、適宜選択することにより調整することができる。
【００７９】
例えば、ねじりコイルバネｒsのバネ力が一定の場合には、図８(ｂ)に示すように、ロックレバーｒlの長ウデ部ｒl3の長さ寸法を長くとれば、ロック解除部ｒl2に外力が加わった場合にロックレバーｒlにかかるモーメントは大きくなるので、充電用置き台２１を下面板２１tを下にして縦置きした場合にロック解除部ｒl2を充電用置き台２１下面内に押し込んだ状態にすることが容易となる。
【００８０】
ここで、ねじりコイルバネｒsのバネ力は、ロック解除部ｒl2に加わる外力によるモーメントより弱いバネ力のモーメントを付与するように設定されるため、ロック解除部ｒl2に加わる外力によるモーメントが大きい場合、ねじりコイルバネｒsのバネ力は、小さい力から比較的大きい力まで選択できる。
【００８１】
よって、この場合、ねじりコイルバネｒsのバネ力を大きくとれるため、ロックレバーｒlのツメ部ｒl1の係合力を大きく設定でき、もって携帯電話機７０を充電用置き台２１内に確実に保持することができる。
【００８２】
一方、ロックレバーｒlの長ウデ部ｒl3の長さ寸法が短い場合には、ロック解除部ｒl2に同じ外力が加わってもロックレバーｒlにかかるモーメントは小さいため、ねじりコイルバネｒsのバネ力は当該モーメントより弱いモーメントを付与する力でなければならないのでより弱い力となる。
【００８３】
この場合、ねじりコイルバネｒsのバネ力は小さい力に限定されるため、ロックレバーｒlのツメ部ｒl1の係合力が小さくなり、もって携帯電話機７０を充電用置き台２１内に保持するための保持力は弱くなる。
【００８４】
従って、充電用置き台２１では、ロックレバーｒlのツメ部ｒl1の係合力を大きく設定するため、ロックレバーｒlの長ウデ部ｒl3の長さ寸法を長く設定している。
【００８５】
また、例えば、充電用置き台２１の重量を大きく設定すれば、充電用置き台２１を縦置きした場合、充電用置き台２１の重力による台Ｄの反力は大きくなるので、ロックレバーｒlのロック解除部ｒl2の押し込み力はより大きくなる。  一方、充電用置き台２１の重量を小さく設定した場合には、充電用置き台２１の重力による台Ｄの反力は小さくなるので、ロック解除部ｒl2の押し込み力はより小さくなる。
【００８６】
従って、充電用置き台２１の重量の大きさの選択の仕方よっても、この重量に大きさに関連してロックレバーｒlの長ウデ部ｒl3の長さ寸法、ねじりコイルバネｒsのバネ力等を設定することにより、携帯電話機７０に対するロックレバーｒlのツメ部ｒl1の係合力の大きさ、すなわち携帯電話機７０を収納凹部２２内に保持する力を変更するができる。
【００８７】
次に、この構成のロック機構ｒを用いた充電用置き台２１の使用について説明する。
【００８８】
図９(ａ)は、縦置きにした充電用置き台２１の収納凹部２２内に２軸ヒンジ機構の折り畳み式携帯電話機７０を差し込み収納した状態を示す概念的要部断面図である。
【００８９】
ここで、携帯電話機７０の下筐体７１の側部には、携帯電話機７０を充電用置き台２１内に収納した際に、ロックレバーｒlのツメ部ｒl1が係合して保持するための係合凹部７１kが形成されている。
【００９０】
充電用置き台２１は、図８(ｂ)に示すように、下面板２１tを下にして台Ｄ上に縦置きにしている場合には、下面板２１tから外方に突出するロック解除部ｒl2に、台Ｄから充電用置き台２１の重力に相当する反力が加わり、ロックレバーｒlは、コイルバネｒsのバネ力に抗して矢印方向に回動し、ロック解除部ｒl2が、充電用置き台２１の下面内に押し込まれるとともに、ツメ部ｒl1が側壁面２２ｓ内に押し込まれた状態になっている。
【００９１】
このように、充電用置き台２１を縦置きにしている場合には、ツメ部ｒl1が側壁面２２ｓ内に押し込まれた状態になっているため、図９(ａ)に示すように、携帯電話機７０を充電用置き台２１内に収納する際に、ツメ部ｒl1が携帯電話機７０の係合凹部７１kに係合することがないため、円滑に収納することができる。
【００９２】
また、充電用置き台２１内に収納した携帯電話機７０を取出すに際しても、ツメ部ｒl1が側壁面２２ｓ内に引っ込んだ状態にあり、携帯電話機７０の係合凹部７１kに係合していないため、円滑に取出すことができる。
【００９３】
このように、充電用置き台２１を縦置きにしている場合には、携帯電話機７０の充電用置き台２１への収納、および充電用置き台２１からの取出しが円滑に行える。
【００９４】
一方、充電用置き台２１を台Ｄ上に横倒した場合には、図８(ａ)に示すように、ロックレバーｒlのロック解除部ｒl2は、台Ｄからの外力を受けないため、ロックレバーｒlはコイルバネｒsのバネ力により付勢され、ツメ部ｒl1は、収納凹部２２内の収納空間Ｓに突出している。
【００９５】
図９(ｂ)は、充電用置き台２１を、その右側面２１rを下にして台Ｄ上に横倒して、充電用置き台２１に収納した携帯電話機７０でテレビ視聴する状態を示す概念的要部断面図である。
【００９６】
充電用置き台２１を横置きした場合には、図８(ａ)に示すように、ロックレバーｒlのツメ部ｒl1は、収納凹部２２内の収納空間Ｓに突き出すため、図９(ｂ)に示すように、収納した携帯電話機７０の係合凹部７１kに係合する。
【００９７】
そのため、充電用置き台２１を横倒した場合には、携帯電話機７０にツメ部ｒl1が係合しロックされるので、携帯電話機７０は充電用置き台２１内に確実に保持され、充電用置き台２１内からの抜け出しを防止できる。
【００９８】
上記構成によれば、収納した充電用置き台２１を縦置きにした場合には、携帯電話機７０へのロックが解除され、一方、テレビ等を視聴するために携帯電話機７０を収納した充電用置き台２１を横置きにした場合には、携帯電話機７０にロックが掛かる。
【００９９】
そのため、縦置きにした充電用置き台２１に、携帯電話機７０を収納したり、充電用置き台２１から取出すに際しては、円滑に収納、取出しが行える。
【０１００】
一方、テレビ等を視聴するために携帯電話機７０を収納した充電用置き台２１を横置きにした場合には、収納した携帯電話機７０にロック機構ｒによるロックがかかるため、携帯電話機７０が確実に保持され抜け出しが防止できる。
【０１０１】
なお、実施例２においても、ロック機構ｒ以外は、実施例１と同様な構成を備えれば、同様な作用効果を奏する。
【０１０２】
また、実施例２では、ロックレバーｒlを樹脂成形品で形成した場合を例示したが、樹脂成形品に代替して板金等の樹脂成形品以外の部品で構成してもよく、樹脂成形品に限定されないことは言うまでもない。
【０１０３】
また、実施例２では、ロックレバーｒlを一体部品で構成した場合を例示したが、複数の部品で構成してもよい。
【０１０４】
なお、実施例１、２では、電子機器の置き台として充電用置き台を例示して説明したが、充電の機能を備えない電子機器の置き台においても、本発明を有効に適用し得ることは言うまでもない。
【産業上の利用可能性】
【０１０５】
本発明の活用例として、ＰＤＡ(Personal  Digital  Assistant)、テレビ機能付き携帯端末等、横置きにして表示を視聴できる電子機器に使用される置き台であれば、限定されることなく本発明を有効に活用できる。
【図面の簡単な説明】
【０１０６】
【図１】本発明の実施例１に関わる充電用置き台に１軸ヒンジ機構の折り畳み式携帯電話機を差し込み充電している状態を示す斜視図。
【図２】実施例１の充電用置き台を示す斜視図。
【図３】(ａ)および(ｂ)は、携帯電話機を収納した実施例１の充電用置き台を横置きにしてテレビ視聴をする場合を示す斜視図、および(ａ)図のＡ方向矢視図。
【図４】(ａ)、(ｂ)、および(ｃ)は、携帯電話機を収納した実施例１の充電用置き台を横置きにした場合における充電用置き台の重心と携帯電話機５０の重心に加わるモーメントの関係を表した概念図。
【図５】実施例１の変形例の充電用置き台を示す斜視図。
【図６】実施例１の変形例の充電用置き台に２軸ヒンジ機構の折り畳み式携帯電話機を収納した状態を示す斜視図。
【図７】(ａ)および(ｂ)は、２軸ヒンジ機構の折り畳み式携帯電話機を収納した実施例１の変形例の充電用置き台を横置きにしてテレビ視聴する場合を示す斜視図、および(ａ)図のＢ方向矢視図。
【図８】(ａ)および(ｂ)は、本発明の実施例２に関わる充電用置き台内に携帯電話機を収納、保持するためのロック機構の構造を、該充電用置き台を右側面を下にして横置きした状態を示す概念的要部断面図、および実施例２の充電用置き台を通常の縦置きにした状態を示す概念的要部断面図。
【図９】(ａ)および(ｂ)は、実施例２の充電用置き台の収納凹部内に２軸ヒンジ機構の折り畳み式携帯電話機を差し込み収納した状態を示す概念的要部断面図、およびこの実施例２の充電用置き台を横置きにした状態を示す概念的要部断面図。
【図１０】(ａ)および(ｂ)は、従来の携帯電話機を示す正面図、および従来の携帯電話機を横置きにした状態を示す斜視図。
【符号の説明】
【０１０７】
１、１１、２１…充電用置き台(置き台)、
１ｒ、１１ｒ、２１ｒ…右側面(一側面)、
１ｒ0…右側面の上縁部(一側面上縁部)、
２、１２、２２…収納凹部、
２s、１２ｓ、２２ｓ…側壁面、
５０、６０、７０…携帯電話機(電子機器)、
５６、６６…液晶表示部(表示部)、
Ｄ…台(載置面)、
ｒ…ロック機構(ロック手段)、
ｒl…ロックレバー(ロック手段、ロック部材)、
ｒl1…ツメ部(係合部)、
ｒl2…ロック解除部(係合解除部)、
ｒl5…支軸部、
ｒs…コイルバネ(ロック手段、弾性体)、
Ｓ…収納空間。
【図１】
2006279463.tif 000003
【図２】
2006279463.tif 000004
【図３】
2006279463.tif 000005
【図４】
2006279463.tif 000006
【図５】
2006279463.tif 000007
【図６】
2006279463.tif 000008
【図７】
2006279463.tif 000009
【図８】
2006279463.tif 000010
【図９】
2006279463.tif 000011
【図１０】
2006279463.tif 000012